(57)【要約】【課題】一枚のフィルム材料から形成することができると共に、簡易な構成によって容易且つ確実にバージン性を確認することのできるリシールラベルを提供する。【解決手段】容器１２のフィルム面に開口形成された取出口１３を覆ってリシール可能に貼着されることにより容器１２の内部にウエットティッシュ１１を封入し、開封ツマミ１４を介してフィルム面から引き剥がすことにより取出口１３を開封してウエットティッシュ１１を取り出せるようにしたリシールラベル１０であって、開封ツマミ１４に切断案内線１５を介してバージンシール１６を連接した状態で一枚のフィルム材料１７によって形成されており、バージンシール１６は、引き剥がす際の引張り力により切断案内線１５に沿って切断されるものであり、この切断によりバージンシール１６を開封ツマミ１４から分離させて、開封ツマミを摘むことができるようにする。【選択図】      図１
2004189262.tif 000002
【特許請求の範囲】
【請求項１】
容器のフィルム面に開口形成された取出口を覆って該取出口の周囲にリシール可能に貼着されることにより容器の内部に収容物を封入し、周縁部に設けた開封ツマミを介して前記フィルム面から引き剥がすことにより前記取出口を開封して収容物を繰り返し取り出せるようにしたリシールラベルであって、
該リシールラベルは、前記開封ツマミに切断案内線を介してバージンシールを連接した状態で一枚のフィルム材料によって形成されており、前記バージンシールは、引き剥がす際の引張り力により前記切断案内線に沿って切断されるものであり、
該切断により前記バージンシールを前記開封ツマミから分離させて前記開封ツマミを摘むことができるようにするリシールラベル。
【請求項２】
前記バージンシールは、前記開封ツマミの外周縁部の全体を囲うように前記切断案内線を介して連接している請求項１記載のリシールラベル。
【請求項３】
前記バージンシールには、前記開封ツマミによる前記リシールラベルの引き剥がし方向と略垂直な方向に当該バージンシールを引き剥がすための引き剥がしツマミが設けられている請求項１又は２に記載のリシールラベル。
【発明の詳細な説明】
【０００１】
【発明の属する技術分野】
本発明は、リシールラベルに関し、特に容器の取出口の周囲にリシール可能に貼着して用いられ、バージン性を容易に確認できる機能を備えるリシールラベルに関する。
【０００２】
【従来の技術】
リシールラベルは、容器のフィルム面に開口形成された取出口を覆って該取出口の周囲にリシール可能に貼着されることにより容器の内部に収容物を封入し、周縁部に設けた開封ツマミを介してフィルム面から引き剥がすことにより取出口を開封して、収容物を繰り返し取り出せるようにするものである。リシールラベルは、例えばアルコール、界面活性剤等の清浄液や化粧水を繊維素材（例えば不織布、ガーゼ、コットン等）に含浸させたウエットティッシュ、紙おむつ等のシート材料を、複数積層した状態で収容するフィルム材料からなる袋容器に取り付けて使用される（例えば、特許文献１参照）。
【０００３】
また、リシールラベルは、容器に収容したシート材料等の収容物を必要量取り出す際に、その都度引き剥がされて取出口を開封し、収容物の一部を取り出した後に再度取出口の周囲に貼着されて、残りの収容物を再び容器に封入できるようにするものである。したがって、リシールラベルが容器のフィルム面に貼着された状態では、リシールラベルが未だ引き剥がされておらず容器の取出口が今回初めて開封されるものであるか、或いは既にリシールラベルが引き剥がされて取出口が開封された後に、再びフィルム面に貼着されたものであるかを判断すること、すなわちリシールラベルのバージン性を確認することが困難な場合があり、またこれによって、いたずら等により容器が開封されて収容物が改ざんされていても知らないまま収容物を使用してしまうおそれもある。なお、以下の記載において、上述のリシールラベルのバージン性を確認する手段をバージンシールと言うこととする。
【０００４】
このようなリシールラベルのバージン性を確認しやすくするための手段としては、例えば図５（ａ）に示すように、袋容器５０のフィルム面５１に貼着されたリシールラベル５２の周縁部の開封ツマミ５３に近接した位置に、紙製のタックラベル５４を、バージンシールとしてリシールラベル５２と袋容器５０のフィルム面５１とに跨って貼着しておき、リシールラベル５２を初めて引き剥がす際に、図５（ｂ）に示すように、この引き剥がし力によってタックラベル５４を切断分割させて、破れたタックラベル５４によって非バージン性を確認するようにしたものが知られている。
【０００５】
【特許文献１】
特開平１０−３２４３７７号公報
【０００６】
【発明が解決しようとする課題】
しかしながら、上記従来の紙製のタックラベルを用いてリシールラベルのバージン性を確認する方法によれば、合成樹脂製のフィルム材料からなるリシールラベルとは別の材質の紙製のタックラベルを用いることから、材料費が嵩むことになると共に、容器の製造時にリシールラベルを貼り付ける工程の他、タックラベルを貼り付ける工程を必要として、そのための設備や時間を余分に要することになる。また、リシールラベルや容器のフィルム面に破れたタックラベルがついたまま使用されることになるため、見栄えが悪くなる。
【０００７】
本発明は、一枚のフィルム材料から形成することができると共に、簡易な構成によって容易且つ確実にバージン性を確認することを可能にするリシールラベルを提供することを目的とする。
【０００８】
【課題を解決するための手段】
本発明は、容器のフィルム面に開口形成された取出口を覆って該取出口の周囲にリシール可能に貼着されることにより容器の内部に収容物を封入し、周縁部に設けた開封ツマミを介して前記フィルム面から引き剥がすことにより前記取出口を開封して収容物を繰り返し取り出せるようにしたリシールラベルであって、該リシールラベルは、前記開封ツマミに切断案内線を介してバージンシールを連接した状態で一枚のフィルム材料によって形成されており、前記バージンシールは、引き剥がす際の引張り力により前記切断案内線に沿って切断されるものであり、該切断により前記バージンシールを前記開封ツマミから分離させて前記開封ツマミを摘むことができるようにするリシールラベルを提供することにより、上記目的を達成したものである。
【０００９】
【発明の実施の形態】
本発明の好ましい実施形態に係るリシールラベル１０は、図１に示すように、例えばアルコール、界面活性剤等の清浄液や化粧水を不織布、ガーゼ、コットン等の繊維素材に含浸させたシート材料であるウエットティッシュ１１を、複数積層した状態で収容するフィルム材料からなる袋容器１２に取り付けて使用され、例えば袋容器１２の上面中央部分に開口形成された取出口１３を覆うようにして、この取出口１３の周囲にリシール可能に貼着されるものである。
【００１０】
すなわち、本実施形態のリシールラベル１０は、袋容器１２を構成するフィルム材料のフィルム面に開口形成された取出口１３を覆ってこの取出口１３の周囲にリシール可能に貼着されることにより、この袋容器１２の内部に収容物として複数枚のウエットティッシュ１１を封入し、当該リシールラベル１０の周縁部に設けた開封ツマミ１４を介してリシールラベル１０をフィルム面から引き剥がすことにより、取出口１３を開封してウエットティッシュ１１を例えば１枚ずつ繰り返し取り出せるようにするものである。
【００１１】
そして、本実施形態のリシールラベル１０は、図２にも示すように、開封ツマミ１４に切断案内線１５を介してバージンシール１６を連接した状態で一枚のフィルム材料１７によって形成されており、バージンシール１６は、引き剥がす際の引張り力により切断案内線１５に沿って切断されるものであり、この切断によりバージンシール１６を開封ツマミ１４から分離させて（図４（ａ）参照）、開封ツマミ１４を摘むことができるようにするものである。
【００１２】
袋容器１２は、例えばリシールピロー袋として知られる公知のもので、液密性や気密性を有するフィルム材料として、例えばポリエチレン、ポリプロピレン、ポリエステル、ポリアミド、ポリ塩化ビニル等の合成樹脂フィルムの単一材かまたは複合材、或いはこれらの合成樹脂フィルムとアルミフィルム等とを貼り合わせた積層フィルム等を用いて形成され、収容すべき複数のウエットティッシュ１１を包み込むようにしつつ、例えばこれの長手方向の一端部および横方向の両端部をシール接合することによって、平面矩形形状に形成されたものである。
【００１３】
また、本実施形態によれば、袋容器１２の一方の面（上面）の中央部分には長円形状の取出口１３が開口形成されており、この取出口１３から、折り畳まれて積層状態で袋容器１１の内部に収容されてる複数のウエットティッシュ１１を、順次上方から取り出すことができるようになっている。
【００１４】
なお、本実施形態によれば、ウエットティッシュ１１は、例えばアルコール、界面活性剤等の清浄液や化粧水を不織布等の繊維素材に含浸させた公知のウエットティッシュと同様のシート材料であって、例えばおしぼりやお尻拭き等として用いられるものである。
【００１５】
そして、本実施形態のリシールラベル１０は、袋容器１２のフィルム面に開口形成された取出口１３を覆ってこの取出口１３の周囲にリシール可能に貼着されるフィルム材料であって、長円形状の取出口１３を覆う大きさを有し、４箇所の角部が円弧状に湾曲した略矩形形状のラベル本体部１８と、このラベル本体部１８の一方の短辺部に切断案内線１５を介して連接されたバージンシール１６とによって構成されている。
【００１６】
また、本実施形態によれば、リシールラベル１０は、袋容器１２を構成するフィルム材料と同様の、例えばポリエチレン、ポリプロピレン、ポリエステル、ポリアミド、ポリ塩化ビニル等の合成樹脂フィルムの単一材かまたは複合材、或いはこれらの合成樹脂フィルムとアルミフィルム等とを貼り合わせた積層フィルム等からなり、これらのフィルム材料１７を所定の形状に切断加工すると共に、後述するミシン目等による切断案内線１５を施すことにより、一枚のフィルム材料１７から、ラベル本体部１８とバージンシール１６とが一体となったものとして容易に形成されることになる。
【００１７】
リシールラベル１０のラベル本体部１８は、上述のように略矩形形状を備えていると共に、バージンシール１６が連接される一方の短辺部には、開封ツマミ１４がその中央部分から略半円形状に突出して設けられている。またラベル本体部１８の開封ツマミ１４が設けられた短辺部とは反対側の他方の短辺部は、リシールラベル１０の固定部１９となっており、この固定部１９は、リシールラベル１０の幅方向の両側縁部から内側に向いつつリシールラベル１０の長手方向に延在して形成された、一対の切り込み１９ａよって構成されており、この固定部１９を介してラベル本体部１８が袋容器１２の剥離位置に固定される。ラベル本体部１８の剥離は、一対の切り込み１９ａの自由端１９ｂにおいて停止することになる。
【００１８】
また、取出口１３の外側に配置される部分のラベル本体部１８の裏面には、フィルム面に対してリシール可能な接着剤として、例えばポリエステル系、アクリル系、ゴム系等の感圧接着剤が塗布されており、これによってラベル本体部１８をリシールしつつ取出口１３を開封して、ウエットティッシュ１１を繰り返し取り出すことができるようになっている。なお、開封ツマミ１４の裏面には、接着剤が塗布されていないか、或いは塗布した接着剤の接着力が抑制されており、これによってバージンシール１６を分離させた後に、開封ツマミ１４を摘み易い状態とすることができるようになっている。
【００１９】
本実施形態によれば、リシールラベル１０のバージンシール１６は、略半円形状の開封ツマミ１４の外周縁部の全体を囲うようにして、切断案内線１５を介してラベル本体部１８に連接した略長円形状を有しており、開封ツマミ１４が食い込んだ側胴部が略半円形状に切り欠かれている。また、バージンシール１６には、その裏面に剥離可能な例えばポリエステル系、アクリル系、ゴム系等の感圧接着剤が塗布されていると共に、その長軸方向の一端部の略半円形状の部分が引き剥がしツマミ２０となっていて、これの裏面は、接着剤が塗布されていないか、或いは塗布した接着剤の接着力が抑制されており、引き剥がしツマミ２０が摘み易い状態となっている。またバージンシール１６は、引き剥がしツマミ２０を摘んで、開封ツマミ１４によるリシールラベル１０の引き剥がし方向Ｘと略垂直な方向Ｙに容易に引き剥がすことができるようになっている。
【００２０】
バージンシール１６とラベル本体部１８との間に介在する切断案内線１５は、例えば図３（ａ），（ｂ）に示すようなミシン目２１からなり、且つ切断案内線１５は、袋容器１２のフィルム面に貼着されたバージンシール１６を引き剥がす際の引張り力によりミシン目２１を連続させつつ切断して、バージンシール１６を開封ツマミ１４から分離させ、取出口１３を開封させるべく開封ツマミ１４を摘むことが可能な状態とする。すなわち、図４（ａ）に示すように、引き剥がしツマミ２０を摘んでバージンシール１６をＹ方向に引き剥がせば、バージンシール１６は切断案内線１５を介して容易にラベル本体部１８から分離されて取り外され、開封ツマミ１４を摘むことができる状態となるので、図４（ｂ）に示すように、この開封ツマミ１４を摘んでラベル本体部１８をＸ方向に引き剥がすことが可能になり、これによって取出口１３を開封してウエットティッシュ１１を繰り返し取り出すことが可能になる。
【００２１】
そして、本実施形態のリシールラベル１０によれば、一枚のフィルム材料から形成することができると共に、簡易な構成によって容易且つ確実にバージン性を確認することができる。すなわち、本実施形態によれば、リシールラベル１０は、切断案内線１５を介してラベル本体部１８とバージンシール１６とを連接した構成を備えており、フィルム材料１７を所定の形状に切断加工すると共に切断案内線１５を施すことにより、一枚のフィルム材料１７から容易に形成することができ、またバージンシール１６を取り外すことにより初めて開封ツマミ１４を摘むことが可能になるので、バージンシール１６の有無を判別することによって、袋容器１２のバージン性を容易且つ確実に確認することができる。
【００２２】
なお、本発明は上記実施形態に限定されることなく種々の変更が可能である。例えば、バージンシールは、開封ツマミの外周縁部の全体を囲うように連接させる必要は必ずしもなく、開封ツマミがめくれないように保持しておける状態であれば、外周縁部の一部において連接するものであっても良い。また、リシールラベルは、略矩形形状のものである必要は必ずしもなく、開封ツマミは略矩形形状の短辺部に設けたものである必要は必ずしもない。さらに、切断案内線はミシン目である必要は必ずしもなく、例えばフィルム材料にこれの厚さの半分程度の深さの切り込みを入れた半切れ線によって構成することもできる。さらにまた、リシールラベルが取り付けられる容器は、フィルム材料からなる袋容器である必要は必ずしもなく、フィルム面に取出口が開口形成されたその他の種々の容器であっても良い。また、容器に収容される収容物は、ウエットティッシュ等のシート材料の他、例えばシート状の洗剤等であっても良い。
【００２３】
【発明の効果】
本発明のリシールラベルによれば、一枚のフィルム材料から形成することができると共に、簡易な構成によって容易且つ確実にバージン性を確認することができる。
【図面の簡単な説明】
【図１】本発明の一実施形態に係るリシールラベルを取り付けた袋容器を示す斜視図である。
【図２】本発明の一実施形態に係るリシールラベルの要部を示す斜視図である。
【図３】（ａ），（ｂ）は、ミシン目による切断案内線を例示する平面図である。
【図４】（ａ），（ｂ）は、本発明の一実施形態に係るリシールラベルの使用状況を説明する斜視図である。
【図５】（ａ），（ｂ）は、従来のバージン性を確認する機能を有するリシールラベルの説明図である。
【符号の説明】
１０  リシールラベル
１１  ウエットティッシュ（収容物）
１２  袋容器
１３  取出口
１４  開封ツマミ
１５  切断案内線
１６  バージンシール
１７  フィルム材料
１８  ラベル本体部
１９  固定部
２０  引き剥がしツマミ
２１  ミシン目（切断案内線）
【図１】
2004189262.tif 000003
【図２】
2004189262.tif 000004
【図３】
2004189262.tif 000005
【図４】
2004189262.tif 000006
【図５】
2004189262.tif 000007